【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の制御チャネルメッセージを、第１の帯域幅において送信時間間隔（ＴＴＩ）の間に受信することと、ここにおいて、前記第１の制御チャネルメッセージが、第１の制御チャネルメッセージフォーマットを備え、
第２の制御チャネルメッセージが前記ＴＴＩ内に存在するかどうかを、前記第１の制御チャネルメッセージ中のフラグに基づいて決定することと、ここにおいて、前記第２の制御チャネルメッセージが、前記第１の制御チャネルメッセージフォーマットとは異なる第２の制御チャネルメッセージフォーマットを備え、
前記第２の制御チャネルメッセージが前記ＴＴＩの間に存在することを前記フラグが示す場合、前記第２の制御チャネルメッセージを、第２の帯域幅において受信することと、
を備え、
前記方法がさらに、
前記第１の制御チャネルメッセージフォーマットおよび第１の送信周期性に少なくとも部分的に基づいて、第１の複数の制御チャネルメッセージを受信することと、
前記第２の制御チャネルメッセージフォーマットおよび第２の送信周期性に少なくとも部分的に基づいて、第２の複数の制御チャネルメッセージを受信することと、ここにおいて、前記第１の送信周期性が、前記第２の送信周期性より低い、
を備える、方法。
【請求項２】
前記第１の制御チャネルメッセージが、前記第２の制御チャネルメッセージに関連付けられた第２の制御チャネルメッセージペイロードサイズのインジケーションを含み、前記第２の制御チャネルメッセージペイロードサイズに少なくとも部分的に基づいて前記第２の制御チャネルメッセージを識別することをさらに備える、請求項１に記載の方法。
【請求項３】
前記第２の制御チャネルメッセージペイロードサイズが、前記第１の制御チャネルメッセージに関連付けられた第１の制御チャネルメッセージペイロードサイズより大きい、請求項２に記載の方法。
【請求項４】
前記第２の制御チャネルメッセージペイロードサイズの前記インジケーションが２ビットを備え、前記２ビットの組合せが、１つまたは複数のペイロードサイズに対応する、請求項２に記載の方法。
【請求項５】
前記第２の制御チャネルメッセージペイロードサイズが、構成された送信モードの関数である、請求項２に記載の方法。
【請求項６】
前記第２の制御チャネルメッセージペイロードサイズの前記インジケーションが、ペイロードタイプをさらに示し、前記ペイロードタイプが、リソースブロック（ＲＢ）割振りペイロードタイプ、変調およびコーディング方式（ＭＣＳ）ペイロードタイプ、チャネル状態情報（ＣＳＩ）要求ペイロードタイプ、またはそれらの組合せを備える、請求項２に記載の方法。
【請求項７】
前記ＴＴＩが、別のコンポーネントキャリア（ＣＣ）のシンボルより短い持続時間のシンボルを有する拡張コンポーネントキャリア（ｅＣＣ）のＴＴＩである、請求項１に記載の方法。
【請求項８】
前記第１の制御チャネルメッセージフォーマットが、第１の更新レートに対応する情報フィールドの第１のセットを備え、情報フィールドの前記第１のセットが、ハイブリッド自動再送要求（ＨＡＲＱ）情報または変調およびコーディング方式（ＭＣＳ）更新情報を備え、
前記第２の制御チャネルメッセージフォーマットが、第２の更新レートに対応する情報フィールドの第２のセットを備える、請求項１に記載の方法。
【請求項９】
前記第１の制御チャネルメッセージフォーマットの制御チャネルメッセージのペイロードサイズが、１つのＴＴＩから後続のＴＴＩまで固定され、前記第１の帯域幅が、複数のＴＴＩにわたって固定される、請求項１に記載の方法。
【請求項１０】
前記第２の帯域幅が、前記第１の帯域幅から帯域幅オフセットだけオフセットされ、前記帯域幅オフセットが、複数のＴＴＩにわたって固定される、請求項１に記載の方法。
【請求項１１】
前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩの間に利用することをさらに備える、請求項１に記載の方法。
【請求項１２】
ワイヤレス通信の方法であって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、ここにおいて、前記第１の制御チャネルメッセージが、第１の制御チャネルメッセージフォーマットを備え、
第１の帯域幅において前記第１の制御チャネルメッセージを送信することと、
前記ＴＴＩの間に第２の帯域幅において前記第２の制御チャネルメッセージを送信することと、ここにおいて、前記第２の制御チャネルメッセージが、前記第１の制御チャネルメッセージフォーマットとは異なる第２の制御チャネルメッセージフォーマットを備え、
を備え、
前記方法がさらに、
前記第１の制御チャネルメッセージフォーマットおよび第１の送信周期性に少なくとも部分的に基づいて、第１の複数の制御チャネルメッセージを送信することと、
前記第２の制御チャネルメッセージフォーマットおよび第２の送信周期性に少なくとも部分的に基づいて、第２の複数の制御チャネルメッセージを送信することと、ここにおいて、前記第１の送信周期性が、前記第２の送信周期性より低い、
を備える、方法。
【請求項１３】
ワイヤレス通信のための装置であって、
第１の制御チャネルメッセージを、第１の帯域幅において送信時間間隔（ＴＴＩ）の間に受信するための手段と、ここにおいて、前記第１の制御チャネルメッセージが、第１の制御チャネルメッセージフォーマットを備え、
第２の制御チャネルメッセージが前記ＴＴＩ内に存在するかどうかを、前記第１の制御チャネルメッセージ中のフラグに基づいて決定するための手段と、ここにおいて、前記第２の制御チャネルメッセージが、前記第１の制御チャネルメッセージフォーマットとは異なる第２の制御チャネルメッセージフォーマットを備え、
前記第２の制御チャネルメッセージが前記ＴＴＩの間に存在することを前記フラグが示す場合、前記第２の制御チャネルメッセージを、第２の帯域幅において受信するための手段と、
ここにおいて、第１の帯域幅において受信するための前記手段が、前記第１の制御チャネルメッセージフォーマットおよび第１の送信周期性に少なくとも部分的に基づいて、第１の複数の制御チャネルメッセージを受信するための手段を備え、
ここにおいて、第２の帯域幅において受信するための前記手段が、前記第２の制御チャネルメッセージフォーマットおよび第２の送信周期性に少なくとも部分的に基づいて、第２の複数の制御チャネルメッセージを受信するための手段を備え、ここにおいて、前記第１の送信周期性が、前記第２の送信周期性より低い、
を備える、装置。
【請求項１４】
ワイヤレス通信のための装置であって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定するための手段と、ここにおいて、前記第１の制御チャネルメッセージが、第１の制御チャネルメッセージフォーマットを備え、
第１の帯域幅において前記第１の制御チャネルメッセージを送信するための手段と、
前記ＴＴＩの間に第２の帯域幅において前記第２の制御チャネルメッセージを送信するための手段と、ここにおいて、前記第２の制御チャネルメッセージが、前記第１の制御チャネルメッセージフォーマットとは異なる第２の制御チャネルメッセージフォーマットを備え、
ここにおいて、前記第１の制御チャネルメッセージを送信するための前記手段が、前記第１の制御チャネルメッセージフォーマットおよび第１の送信周期性に少なくとも部分的に基づいて、第１の複数の制御チャネルメッセージを送信するための手段を備え、
ここにおいて、前記第２の制御チャネルメッセージを送信するための手段ための前記手段が、前記第２の制御チャネルメッセージフォーマットおよび第２の送信周期性に少なくとも部分的に基づいて、第２の複数の制御チャネルメッセージを送信するための手段を備え、ここにおいて、前記第１の送信周期性が、前記第２の送信周期性より低い、
を備える、装置。
【請求項１５】
請求項１〜請求項１１または請求項１２のうちのいずれか一項の方法のすべてのステップを実装するようにコンピュータ実行可能であるプログラム命令を備える、コンピュータプログラム。
【手続補正２】
【補正対象書類名】明細書
【補正対象項目名】０１５３
【補正方法】変更
【補正の内容】
【０１５３】
[0171]本明細書で説明した技法は、符号分割多元接続（ＣＤＭＡ）、時分割多元接続（ＴＤＭＡ）、周波数分割多重化（ＦＤＭ）Ａ、ＯＦＤＭＡ、ＳＣ−ＦＤＭＡ、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などのような無線技術を実装し得る。ＣＤＭＡ２０００は、ＩＳ−２０００、ＩＳ−９５、およびＩＳ−８５６規格をカバーする。ＩＳ−２０００  Ｒｅｌｅａｓｅ０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標）：Global System for Mobile Communications）のような無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書に記載される技法は、上述のシステムおよび無線技術、ならびに他のシステムおよび無線技術に使用される場合がある。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
[Ｃ１]  ワイヤレス通信の方法であって、
第１の制御チャネルメッセージを、第１の帯域幅において送信時間間隔（ＴＴＩ）の間に受信することと、
第２の制御チャネルメッセージが前記ＴＴＩ内に存在するかどうかを、前記第１の制御チャネルメッセージ中のフラグに基づいて決定することと、
前記第２の制御チャネルメッセージが前記ＴＴＩに対して存在することを前記フラグが示す場合、前記第２の制御チャネルメッセージを、第２の帯域幅において受信することと、
を備える、方法。
[Ｃ２]  前記第１の制御チャネルメッセージが、前記第２の制御チャネルメッセージに関連付けられた第２の制御チャネルメッセージペイロードサイズのインジケーションを含み、前記第２の制御チャネルメッセージペイロードサイズに少なくとも部分的に基づいて前記第２の制御チャネルメッセージを識別することをさらに備える、Ｃ１に記載の方法。
[Ｃ３]  前記第２の制御チャネルメッセージペイロードサイズが、前記第１の制御チャネルメッセージに関連付けられた第１の制御チャネルメッセージペイロードサイズより大きい、Ｃ２に記載の方法。
[Ｃ４]  前記第２の制御チャネルメッセージペイロードサイズの前記インジケーションが２ビットを備える、Ｃ２に記載の方法。
[Ｃ５]  前記２ビットの組合せが、１つまたは複数のペイロードサイズに対応する、Ｃ４に記載の方法。
[Ｃ６]  前記第２の制御チャネルメッセージペイロードサイズが、構成された送信モードの関数である、Ｃ２に記載の方法。
[Ｃ７]  前記第２の制御チャネルメッセージペイロードサイズの前記インジケーションが、ペイロードタイプをさらに示す、Ｃ２に記載の方法。
[Ｃ８]  前記ペイロードタイプが、リソースブロック（ＲＢ）割振りペイロードタイプ、変調およびコーディング方式（ＭＣＳ）ペイロードタイプ、チャネル状態情報（ＣＳＩ）要求ペイロードタイプ、またはそれらの組合せを備える、Ｃ７に記載の方法。
[Ｃ９]  前記ＴＴＩが、別のコンポーネントキャリア（ＣＣ）のシンボルより短い持続時間のシンボルを有する拡張コンポーネントキャリア（ｅＣＣ）のＴＴＩである、Ｃ１に記載の方法。
[Ｃ１０]  前記第１の制御チャネルメッセージが、第１の制御チャネルメッセージフォーマットを備え、
前記第２の制御チャネルメッセージが、第２の制御チャネルメッセージフォーマットを備え、前記第２の制御チャネルメッセージフォーマットが、前記第１の制御チャネルメッセージフォーマットと異なる、Ｃ１に記載の方法。
[Ｃ１１]  前記第１の制御チャネルメッセージフォーマットおよび第１の送信周期性に少なくとも部分的に基づいて、第１の複数の制御チャネルメッセージを受信することと、
前記第２の制御チャネルメッセージフォーマットおよび第２の送信周期性に少なくとも部分的に基づいて、第２の複数の制御チャネルメッセージを受信することと、
をさらに備え、前記第１の送信周期性が、前記第２の送信周期性より低い、Ｃ１０に記載の方法。
[Ｃ１２]  前記第１の制御チャネルメッセージフォーマットが、第１の更新レートに対応する情報フィールドの第１のセットを備え、
前記第２の制御チャネルメッセージフォーマットが、第２の更新レートに対応する情報フィールドの第２のセットを備える、Ｃ１０に記載の方法。
[Ｃ１３]  情報フィールドの前記第１のセットが、ハイブリッド自動再送要求（ＨＡＲＱ）情報または変調およびコーディング方式（ＭＣＳ）更新情報を備える、Ｃ１２に記載の方法。
[Ｃ１４]  情報フィールドの前記第２のセットが、ＭＣＳ情報、ランクインジケータ（ＲＩ）情報、プリコーダ情報、粗いリソースブロック（ＲＢ）割振り情報、チャネル品質インジケータ（ＣＱＩ）要求情報、または電力制御コマンド情報を備える、Ｃ１２に記載の方法。
[Ｃ１５]  前記第１の制御チャネルメッセージフォーマットの制御チャネルメッセージのペイロードサイズが、１つのＴＴＩから後続のＴＴＩまで固定される、Ｃ１０に記載の方法。
[Ｃ１６]  前記第１の帯域幅が、複数のＴＴＩにわたって固定される、Ｃ１に記載の方法。
[Ｃ１７]  前記第２の帯域幅が、前記第１の帯域幅から帯域幅オフセットだけオフセットされ、前記帯域幅オフセットが、複数のＴＴＩにわたって固定される、Ｃ１に記載の方法。
[Ｃ１８]  前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩに対して利用することをさらに備える、Ｃ１に記載の方法。
[Ｃ１９]  ワイヤレス通信の方法であって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、
第１の帯域幅において前記第１の制御チャネルメッセージを送信することと、
前記ＴＴＩの間に第２の帯域幅において前記第２の制御チャネルメッセージを送信することと、
を備える、方法。
[Ｃ２０]  前記第１の制御チャネルメッセージが、第２の制御チャネルメッセージペイロードサイズのインジケーションを含む、Ｃ１９に記載の方法。
[Ｃ２１]  前記第２の制御チャネルメッセージペイロードサイズの前記インジケーションに少なくとも部分的に基づいて、前記第２の制御チャネルメッセージを構成することをさらに備える、Ｃ２０に記載の方法。
[Ｃ２２]  前記第２の制御チャネルメッセージペイロードサイズが、前記第１の制御チャネルメッセージに関連付けられた第１の制御チャネルメッセージペイロードサイズより大きい、Ｃ２０に記載の方法。
[Ｃ２３]  前記第２の制御チャネルメッセージペイロードサイズの前記インジケーションが２ビットを備える、Ｃ２０に記載の方法。
[Ｃ２４]  前記２ビットの組合せが、１つまたは複数のペイロードサイズに対応する、Ｃ２３に記載の方法。
[Ｃ２５]  前記第２の制御チャネルメッセージペイロードサイズが、構成された送信モードの関数である、Ｃ２０に記載の方法。
[Ｃ２６]  前記第２の制御チャネルメッセージペイロードサイズの前記インジケーションが、ペイロードタイプをさらに示す、Ｃ２０に記載の方法。
[Ｃ２７]  前記ペイロードタイプが、リソースブロック（ＲＢ）割振りペイロードタイプ、変調およびコーディング方式（ＭＣＳ）ペイロードタイプ、チャネル状態情報（ＣＳＩ）要求ペイロードタイプ、またはそれらの組合せを備える、Ｃ２６に記載の方法。
[Ｃ２８]  前記ＴＴＩが、別のコンポーネントキャリア（ＣＣ）のシンボルより短い持続時間のシンボルを有する拡張コンポーネントキャリア（ｅＣＣ）のＴＴＩである、Ｃ１９に記載の方法。
[Ｃ２９]  前記第１の制御チャネルメッセージが、第１の制御チャネルメッセージフォーマットを備え、
前記第２の制御チャネルメッセージが、第２の制御チャネルメッセージフォーマットを備え、前記第２の制御チャネルメッセージフォーマットが、前記第１の制御チャネルメッセージフォーマットと異なる、Ｃ１９に記載の方法。
[Ｃ３０]  前記第１の制御チャネルメッセージフォーマットおよび第１の送信周期性に少なくとも部分的に基づいて、第１の複数の制御チャネルメッセージを送信することと、
前記第２の制御チャネルメッセージフォーマットおよび第２の送信周期性に少なくとも部分的に基づいて、第２の複数の制御チャネルメッセージを送信することと、
をさらに備え、前記第１の送信周期性が、前記第２の送信周期性より低い、Ｃ２９に記載の方法。
[Ｃ３１]  前記第１の制御チャネルメッセージフォーマットが、第１の更新レートに対応する情報フィールドの第１のセットを備え、
前記第２の制御チャネルメッセージフォーマットが、第２の更新レートに対応する情報フィールドの第２のセットを備える、Ｃ２９に記載の方法。
[Ｃ３２]  情報フィールドの前記第１のセットが、ハイブリッド自動再送要求（ＨＡＲＱ）情報または変調およびコーディング方式（ＭＣＳ）更新情報を備える、Ｃ３１に記載の方法。
[Ｃ３３]  情報フィールドの前記第２のセットが、ＭＣＳ情報、ランクインジケータ（ＲＩ）情報、プリコーダ情報、粗いリソースブロック（ＲＢ）割振り情報、チャネル品質インジケータ（ＣＱＩ）要求情報、または電力制御コマンド情報を備える、Ｃ３１に記載の方法。
[Ｃ３４]  前記第１の制御チャネルメッセージフォーマットの制御チャネルメッセージのペイロードサイズが、１つのＴＴＩから後続のＴＴＩまで固定される、Ｃ３１に記載の方法。
[Ｃ３５]  前記第１の帯域幅が、複数のＴＴＩにわたって固定される、Ｃ１９に記載の方法。
[Ｃ３６]  前記第２の帯域幅が、前記第１の帯域幅から帯域幅オフセットだけオフセットされ、前記帯域幅オフセットが、複数のＴＴＩにわたって固定される、Ｃ１９に記載の方法。
[Ｃ３７]  前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩに対して利用することをさらに備える、Ｃ２１に記載の方法。
[Ｃ３８]  ワイヤレス通信のための装置であって、
第１の制御チャネルメッセージを、第１の帯域幅において送信時間間隔（ＴＴＩ）の間に受信するための手段と、
第２の制御チャネルメッセージが前記ＴＴＩ内に存在するかどうかを、前記第１の制御チャネルメッセージ中のフラグに基づいて決定するための手段と、
前記第２の制御チャネルメッセージが前記ＴＴＩに対して存在することを前記フラグが示す場合、前記第２の制御チャネルメッセージを、第２の帯域幅において受信するための手段と、
を備える、装置。
[Ｃ３９]  前記第１の制御チャネルメッセージが、前記第２の制御チャネルメッセージに関連付けられた第２の制御チャネルメッセージペイロードサイズのインジケーションを含み、前記第２の制御チャネルメッセージペイロードサイズに少なくとも部分的に基づいて前記第２の制御チャネルメッセージを識別するための手段をさらに備える、Ｃ３８に記載の装置。
[Ｃ４０]  前記第２の制御チャネルメッセージが前記ＴＴＩ内に存在しないことを前記第１の制御チャネルメッセージが示す場合、前のＴＴＩ内に前に受信された第２の制御チャネルメッセージからの制御情報を前記ＴＴＩに対して利用するための手段をさらに備える、Ｃ３８に記載の装置。
[Ｃ４１]  ワイヤレス通信のための装置であって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定するための手段と、
第１の帯域幅において前記第１の制御チャネルメッセージを送信するための手段と、  前記ＴＴＩの間に第２の帯域幅において前記第２の制御チャネルメッセージを送信するための手段と、
を備える、装置。
[Ｃ４２]  前記第１の制御チャネルメッセージが、第２の制御チャネルメッセージペイロードサイズのインジケーションを含む、Ｃ４１に記載の装置。
[Ｃ４３]  前記第２の制御チャネルメッセージペイロードサイズの前記インジケーションに少なくとも部分的に基づいて、前記第２の制御チャネルメッセージを構成するための手段をさらに備える、Ｃ４２に記載の装置。
[Ｃ４４]  ワイヤレス通信のための装置であって、
プロセッサと、
前記プロセッサと電子通信するメモリと、
前記メモリに記憶された命令と、
を備え、前記命令が、前記プロセッサによって、
第１の制御チャネルメッセージを、第１の帯域幅において送信時間間隔（ＴＴＩ）の間に受信することと、
第２の制御チャネルメッセージが前記ＴＴＩ内に存在するかどうかを、前記第１の制御チャネルメッセージ中のフラグに基づいて決定することと、
前記第２の制御チャネルメッセージが前記ＴＴＩに対して存在することを前記フラグが示す場合、前記第２の制御チャネルメッセージを、第２の帯域幅において受信することと、
を行うように実行可能である、装置。
[Ｃ４５]  前記第１の制御チャネルメッセージが、前記第２の制御チャネルメッセージに関連付けられた第２の制御チャネルメッセージペイロードサイズのインジケーションを含み、前記命令が、前記第２の制御チャネルメッセージペイロードサイズに少なくとも部分的に基づいて前記第２の制御チャネルメッセージを識別するように前記プロセッサによってさらに実行可能である、Ｃ４４に記載の装置。
[Ｃ４６]  前記第２の制御チャネルメッセージが前記ＴＴＩ内に存在しないことを前記第１の制御チャネルメッセージが示す場合、前記命令が、前のＴＴＩ内に前に受信された第２の制御チャネルメッセージからの制御情報を前記ＴＴＩに対して利用するように前記プロセッサによってさらに実行可能である、Ｃ４４に記載の装置。
[Ｃ４７]  ワイヤレス通信のための装置であって、
プロセッサと、
前記プロセッサと電子通信するメモリと、
前記メモリに記憶された命令と、
を備え、前記命令が、前記プロセッサによって、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、
第１の帯域幅において前記第１の制御チャネルメッセージを送信することと、
前記ＴＴＩの間に第２の帯域幅において前記第２の制御チャネルメッセージを送信することと、
を行うように実行可能である、装置。
[Ｃ４８]  前記第１の制御チャネルメッセージが、第２の制御チャネルメッセージペイロードサイズのインジケーションを含む、Ｃ４７に記載の装置。
[Ｃ４９]  前記命令が、前記第２の制御チャネルメッセージペイロードサイズの前記インジケーションに少なくとも部分的に基づいて、前記第２の制御チャネルメッセージを構成するように前記プロセッサによってさらに実行可能である、Ｃ４８に記載の装置。
[Ｃ５０]  ワイヤレス通信のためのコードを記憶する非一時的コンピュータ可読媒体であって、前記コードが、
第１の制御チャネルメッセージを、第１の帯域幅において送信時間間隔（ＴＴＩ）の間に受信することと、
第２の制御チャネルメッセージが前記ＴＴＩ内に存在するかどうかを、前記第１の制御チャネルメッセージ中のフラグに基づいて決定することと、
前記第２の制御チャネルメッセージが前記ＴＴＩに対して存在することを前記フラグが示す場合、前記第２の制御チャネルメッセージを、第２の帯域幅において受信することと、
を行うように実行可能である命令を備える、非一時的コンピュータ可読媒体。
[Ｃ５１]  前記第１の制御チャネルメッセージが、前記第２の制御チャネルメッセージに関連付けられた第２の制御チャネルメッセージペイロードサイズのインジケーションを含み、前記コードが、前記第２の制御チャネルメッセージペイロードサイズに少なくとも部分的に基づいて前記第２の制御チャネルメッセージを識別するように実行可能である命令をさらに備える、Ｃ５０に記載のコンピュータ可読媒体。
[Ｃ５２]  前記第２の制御チャネルメッセージが前記ＴＴＩ内に存在しないことを前記第１の制御チャネルメッセージが示す場合、前記コードが、前のＴＴＩ内に前に受信された第２の制御チャネルメッセージからの制御情報を前記ＴＴＩに対して利用するように実行可能である命令をさらに備える、Ｃ５０に記載のコンピュータ可読媒体。
[Ｃ５３]  ワイヤレス通信のためのコードを記憶する非一時的コンピュータ可読媒体であって、前記コードが、
第２の制御チャネルメッセージが送信時間間隔（ＴＴＩ）の間に送信されるべきかどうかに基づいて、前記ＴＴＩ内に第１の制御チャネルメッセージにフラグを追加するかどうかを決定することと、
第１の帯域幅において前記第１の制御チャネルメッセージを送信することと、
前記ＴＴＩの間に第２の帯域幅において前記第２の制御チャネルメッセージを送信することと、
を行うように実行可能である命令を備える、非一時的コンピュータ可読媒体。
[Ｃ５４]  前記第１の制御チャネルメッセージが、第２の制御チャネルメッセージペイロードサイズのインジケーションを含む、Ｃ５３に記載のコンピュータ可読媒体。
[Ｃ５５]  前記コードが、前記第２の制御チャネルメッセージペイロードサイズの前記インジケーションに少なくとも部分的に基づいて、前記第２の制御チャネルメッセージを構成するように実行可能な命令さらに備える、Ｃ５４に記載のコンピュータ可読媒体。